(57)【要約】【課題】  通気初めの低温復水の排出後は弁室に復水が流入する都度速やかに復水を排出できる熱応動式スチームトラップを提供する。【解決手段】  本体１と蓋２からなる弁ケーシングで入口と弁室と出口を形成し、弁室４と出口７を連通する導出路８を開けた弁座部材９を弁室４と出口７の間に設ける。壁部材１４とダイヤフラム部材１５と両部材１４，１５の間に封入した膨脹媒体１６とダイヤフラム部材１５の弁座部材９側に取り付けた弁部材１７とを具備し壁部材１４とダイヤフラム部材１５と弁部材１７を貫通する連通路１８を開けた温度制御機素１１を弁室４内に配置する。温度制御機素１１の連通路１８の開口面積を弁座部材９の導出路８の開口面積よりも小径に形成する。フロート１９を弁室４内に配置し、フロート１９の浮上降下による変位により温度制御機素１１の連通路１８を開閉する。【選択図】      図１
2010185556.tif 000002
【特許請求の範囲】
【請求項１】
弁ケーシングで入口と弁室と出口を形成し、弁室と出口を連通する導出路を開けた弁座部材を弁室と出口の間に設け、壁部材とダイヤフラム部材と両部材の間に封入した膨脹媒体とダイヤフラム部材の弁座部材側に取り付けた弁部材とを具備し壁部材とダイヤフラム部材と弁部材を貫通する連通路を開けた温度制御機素を弁室内に配置し、膨張媒体の膨張収縮によるダイヤフラム部材の変位により弁部材を駆動して弁座部材の導出路を開閉するものにおいて、温度制御機素の連通路の開口面積を弁座部材の導出路の開口面積よりも小径に形成し、フロートを弁室内に配置し、フロートの浮上降下による変位により温度制御機素の連通路を開閉することを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、蒸気と復水で加熱冷却されその温度に応じて膨脹収縮する媒体を含む温度制御機素を用いて、設定温度以下の復水を系外へ排出する熱応動式スチームトラップに関する。
【背景技術】
【０００２】
従来の熱応動式スチームトラップは、例えば特許文献１に開示されている。これは、弁ケーシングで入口と弁室と出口を形成し、弁室と出口を連通する導出路を開けた弁座部材を弁室と出口の間に設け、壁部材とダイヤフラム部材と両部材の間に封入した膨脹媒体とダイヤフラム部材の弁座部材側に取り付けた弁部材とを具備し壁部材とダイヤフラム部材と弁部材を貫通する連通路を開けた温度制御機素を弁室内に配置し、膨張媒体の膨張収縮によるダイヤフラム部材の変位により弁部材を駆動して弁座部材の導出路を開閉するものである。
【先行技術文献】
【特許文献】
【０００３】
【特許文献１】特開平９−２６０９２号公報
【発明の概要】
【発明が解決しようとする課題】
【０００４】
上記従来の熱応動式スチームトラップは、弁室内の温度が上昇すると膨脹媒体が膨脹しダイヤフラム部材を介して弁部材が弁座部材に着座して導出路を閉止することにより蒸気の漏出を防止し、弁室内の温度が低下すると膨脹媒体が収縮し弁部材が弁座部材から離座して導出路を開口することにより復水を系外へ排出するものであり、通気初めの多量の低温復水を素早く排出できるものである。しかしながら、このような様式の熱応動式スチームトラップにあっては、通気初めの低温復水の排出後は弁室内の復水の温度低下が上流側配管系の復水の温度低下よりも遅れるために、閉弁動作が遅延して上流側配管系に排出すべき設定温度よりも低温の復水を滞留させてしまう問題点があった。
【０００５】
したがって本発明が解決しようとする課題は、通気初めの低温復水の排出後は弁室に復水が流入する都度速やかに復水を排出できる熱応動式スチームトラップを提供することである。
【課題を解決するための手段】
【０００６】
上記の課題を解決するために、本発明の熱応動式スチームトラップは、弁ケーシングで入口と弁室と出口を形成し、弁室と出口を連通する導出路を開けた弁座部材を弁室と出口の間に設け、壁部材とダイヤフラム部材と両部材の間に封入した膨脹媒体とダイヤフラム部材の弁座部材側に取り付けた弁部材とを具備し壁部材とダイヤフラム部材と弁部材を貫通する連通路を開けた温度制御機素を弁室内に配置し、膨張媒体の膨張収縮によるダイヤフラム部材の変位により弁部材を駆動して弁座部材の導出路を開閉するものにおいて、温度制御機素の連通路の開口面積を弁座部材の導出路の開口面積よりも小径に形成し、フロートを弁室内に配置し、フロートの浮上降下による変位により温度制御機素の連通路を開閉することを特徴とするものである。
【発明の効果】
【０００７】
本発明によれば、温度制御機素の連通路の開口面積を弁座部材の導出路の開口面積よりも小径に形成し、フロートを弁室内に配置し、フロートの浮上降下による変位により温度制御機素の連通路を開閉するものであるので、通気初めの低温復水の排出後は弁室に復水が流入する都度フロートが浮上降下して温度制御機素の連通路を開閉することにより速やかに復水を排出できるという効果を奏する。
【図面の簡単な説明】
【０００８】
【図１】本発明の実施の形態に係わる熱応動式スチームトラップの断面図である。
【発明を実施するための形態】
【０００９】
以下、本発明の実施の形態について、図1を参照して説明する。本体１に蓋２をボルト３で締結して弁ケーシングを形成し、内部に弁室４を形成する。本体１は入口５と出口通路６と出口７を有し、入口５は弁室４の上部に連通する。入口５と出口７は水平方向に同一軸上に形成する。弁室４の下部の本体１に導出路８を開けた弁座部材９をねじ結合する。弁室４の下部は導出路８から出口通路６を通して出口７に連通する。弁座部材９と本体１の間に固定した円筒状の取付部材１０内に温度制御機素１１をスナップリング１２で取り付ける。取付部材１０には周囲に内外を連通する連通孔１３を複数個開ける。
【００１０】
温度制御機素１１は、壁部材１４とダイヤフラム部材１５と両部材１４，１５の間に封入した膨脹媒体１６とダイヤフラム部材１５の弁座部材９側に取り付けた弁部材１７とを具備し壁部材１４とダイヤフラム部材１５と弁部材１７を貫通する連通路１８を開けたものである。連通路１８はダイヤフラム部材１５と弁部材１７を夫々の中央開口を並べて溶接し、また壁部材１４の中央開口の縁とダイヤフラム部材１５の中央開口の縁を溶接することにより形成する。膨脹媒体１６は水、水より沸点の低い液体、或いはそれらの混合物で形成する。温度制御機素１１の連通路１８の開口面積を弁座部材９の導出路８の開口面積よりも小径に形成する。膨張媒体１６の膨張収縮によるダイヤフラム部材１５の変位により弁部材１７を駆動して弁座部材９の導出路８を開閉する。弁室４内の液面に応じて浮上降下して温度制御機素１１の壁部材１４に離着座し連通路１８を開閉する中空球形のフロート１９を弁室４内に自由状態で配置する。フロート１９が連通路１８を閉じた位置で当接するフロート座２０をフロート１９の下方に設ける。
【００１１】
上記の熱応動式スチームトラップの動作は次の通りである。通気初めの弁室４内が低温時は膨脹媒体１６が収縮し、ダイヤフラム部材１５が左方に変位し弁部材１７が弁座部材９から離座して導出路８を開口する。これにより弁室４に流入する低温復水が導出路８から出口５へ排出される。弁室４内の温度が上昇すると膨脹媒体１６が膨脹し、ダイヤフラム部材１５が右方に変位し弁部材１７が弁座部材９に着座して導出路８を閉止する。
【００１２】
弁部材１７が弁座部材９に着座して導出路８を閉止した後は弁室４内の液面に応じて浮上降下するフロート１９が温度制御機素１１の壁部材１４に離着座して連通路１８を開閉する。連通路１８を開口すると弁室４に流入する高温復水が連通路１８から出口５へ排出され、連通路１８を閉止すると弁室４に流入する蒸気の漏出が防止される。フロート１９は弁室４に復水が流入する都度速やか浮上して連通路１８を開口するので、連通路１８の開口面積が小径であっても復水を速やかに排出することができる。
【産業上の利用可能性】
【００１３】
本発明は、各種蒸気使用機器や蒸気配管で発生する復水を温度制御機素を用いて自動的に排出する熱応動式スチームトラップに利用することができる。
【符号の説明】
【００１４】
１  本体
２  蓋
４  弁室
５  入口
７  出口
８  導出路
９  弁座部材
１１  温度制御機素
１４  壁部材
１５  ダイヤフラム部材
１６  膨脹媒体
１７  弁部材
１８  連通路
１９  フロート
【図１】
2010185556.tif 000003